(57)【要約】【課題】著作権保護された映像コンテンツの伝送においてソフトハンドオーバーや伝送路の負荷分散を利用可能にする。【解決手段】ＩＰ映像送受信システム（１００）において、ＩＰ映像送信装置（１０）およびＩＰ映像受信装置（２０）の各セッション管理部（１２、２２）は、仮想サブネット（１０１ｖ）内および複数の物理サブネット（１０１ａ、１０１ｂ）内でセッションを確立し、データ送信部（１３）は、映像コンテンツをＩＰパケット化して、仮想サブネット内のセッションを通じてＩＰ映像受信装置へパケットデータを送信し、データ受信部（２３）は、仮想サブネット内のセッションを通じてＩＰ映像受信装置から映像コンテンツのパケットデータを受信して映像コンテンツを再構築する。ＩＰ映像送信装置およびＩＰ映像受信装置の各セッション管理部が、物理サブネットの少なくとも一つと仮想サブネットとをブリッジ接続する。【選択図】図２
2015104063.tif 000002
【特許請求の範囲】
【請求項１】
著作権保護された映像コンテンツをＩＰ映像受信装置へ送信するＩＰ映像送信装置であって、
仮想ネットワークインタフェースと、
複数のネットワークインタフェースと、
前記ＩＰ映像受信装置との間で、前記仮想ネットワークインタフェースに付与されたＩＰアドレスを用いて仮想サブネット内でセッションを確立するとともに前記複数のネットワークインタフェースに付与された各ＩＰアドレスを用いて各物理サブネット内でセッションを確立するセッション管理部と、
前記映像コンテンツをＩＰパケット化して、前記仮想サブネット内のセッションを通じて前記ＩＰ映像受信装置へパケットデータを送信するデータ送信部とを備え、
前記セッション管理部が、前記物理サブネットの少なくとも一つと前記仮想サブネットとをブリッジ接続する
ことを特徴とするＩＰ映像送信装置。
【請求項２】
前記データ送信部が、前記各物理セッションを通じて前記ＩＰ映像受信装置へ前記映像コンテンツの同じパケットデータを送信するものであり、
前記セッション管理部が、前記物理サブネットのいずれか一つと前記仮想サブネットとを選択的にブリッジ接続するものである、請求項１に記載のＩＰ映像送信装置。
【請求項３】
前記セッション管理部が、複数の前記物理サブネットと前記仮想サブネットとをブリッジ接続するものであり、
前記データ送信部が、前記仮想サブネットとブリッジ接続された前記複数の物理サブネットの各セッションに前記映像コンテンツのパケットデータを負荷分散して前記ＩＰ映像受信装置へ送信するものである、請求項１に記載のＩＰ映像送信装置。
【請求項４】
著作権保護された映像コンテンツをＩＰ映像送信装置から受信するＩＰ映像受信装置であって、
仮想ネットワークインタフェースと、
複数のネットワークインタフェースと、
前記ＩＰ映像送信装置との間で、前記仮想ネットワークインタフェースに付与されたＩＰアドレスを用いて仮想サブネット内でセッションを確立するとともに前記複数のネットワークインタフェースに付与された各ＩＰアドレスを用いて各物理サブネット内でセッションを確立するセッション管理部と、
前記仮想サブネット内のセッションを通じて前記ＩＰ映像送信装置から前記映像コンテンツのパケットデータを受信して前記映像コンテンツを再構築するデータ受信部とを備え、
前記セッション管理部が、前記物理サブネットの少なくとも一つと前記仮想サブネットとをブリッジ接続する
ことを特徴とするＩＰ映像受信装置。
【請求項５】
前記データ受信部が、前記各物理セッションを通じて前記ＩＰ映像送信装置から前記映像コンテンツの同じパケットデータを受信するものであり、
前記セッション管理部が、前記物理サブネットのいずれか一つと前記仮想サブネットとを選択的にブリッジ接続するものである、請求項４に記載のＩＰ映像受信装置。
【請求項６】
前記セッション管理部が、複数の前記物理サブネットと前記仮想サブネットとをブリッジ接続するものであり、
前記データ受信部が、前記仮想サブネットとブリッジ接続された前記複数の物理サブネットの各セッションに負荷分散された前記映像コンテンツのパケットデータを前記ＩＰ映像送信装置から受信するものである、請求項４に記載のＩＰ映像受信装置。
【請求項７】
著作権保護された映像コンテンツをＩＰ映像受信装置へ送信するＩＰ映像送信装置と、前記映像コンテンツを前記ＩＰ映像送信装置から受信するＩＰ映像受信装置とを備えたＩＰ映像送受信システムであって、
前記ＩＰ映像送信装置が、仮想ネットワークインタフェースと、複数のネットワークインタフェースと、前記ＩＰ映像受信装置との間で、前記仮想ネットワークインタフェースに付与されたＩＰアドレスを用いて仮想サブネット内でセッションを確立するとともに前記複数のネットワークインタフェースに付与された各ＩＰアドレスを用いて各物理サブネット内でセッションを確立するセッション管理部と、前記映像コンテンツをＩＰパケット化して、前記仮想サブネット内のセッションを通じて前記ＩＰ映像受信装置へ前記映像コンテンツのパケットデータを送信するデータ送信部とを備えたものであり、
前記ＩＰ映像受信装置が、仮想ネットワークインタフェースと、複数のネットワークインタフェースと、前記ＩＰ映像送信装置との間で、前記仮想ネットワークインタフェースに付与されたＩＰアドレスを用いて仮想サブネット内でセッションを確立するとともに前記複数のネットワークインタフェースに付与された各ＩＰアドレスを用いて各物理サブネット内でセッションを確立するセッション管理部と、前記仮想サブネット内のセッションを通じて前記ＩＰ映像送信装置から前記映像コンテンツのパケットデータを受信して前記映像コンテンツを再構築するデータ受信部とを備えたものであり、
前記ＩＰ映像送信装置の前記セッション管理部および前記ＩＰ映像受信装置の前記セッション管理部が、前記物理サブネットの少なくとも一つと前記仮想サブネットとをブリッジ接続する
ことを特徴とするＩＰ映像送受信システム。
【発明の詳細な説明】
【技術分野】
【０００１】
本発明は、映像コンテンツをＩＰパケット化してＩＰネットワークに送信するＩＰ映像送信装置およびそれを受信するＩＰ映像受信装置に関し、特に、著作権保護された映像コンテンツをＩＰネットワークで送受信する技術に関する。
【背景技術】
【０００２】
近年、家庭内に有線ＬＡＮ、無線ＬＡＮ、ＷｉＦｉ（登録商標）、ＷｉＦｉ  Ｄｉｒｅｃｔなどのさまざまな伝送路を統合したホームネットワークが構築されるようになっている。また、ＤＬＮＡ（Digital Living Network Alliance）ガイドラインが策定されたことにより、テレビジョン受像機やホームサーバーなどのさまざまなＡＶ機器をホームネットワークに接続して映像コンテンツを送受信できるようになっている。これにより、ホームサーバーに保存された映像コンテンツを別の部屋に設置されたテレビジョン受像機や家庭内の任意の場所に持ち運んだタブレット端末で視聴することが可能となっている。
【０００３】
ＩＰネットワークを通じて伝送される映像コンテンツ（以下、ＩＰ映像ともいう）は、コピー防止などの著作権保護の観点から、ＤＴＣＰ（Digital Transmission Content Protection）−ＩＰやＨＤＣＰ（High-bandwidth Digital Content Protection system）を始めとする著作権保護処理が実施される（例えば、特許文献１を参照）。
【先行技術文献】
【特許文献】
【０００４】
【特許文献１】国際公開第２００９／０９１８４２号
【発明の概要】
【発明が解決しようとする課題】
【０００５】
有線ＬＡＮやＷｉＦｉなどのさまざまな伝送路が存在し、ＩＰ映像伝送のための最適な伝送路を選択する場合、ソフトハンドオーバー（soft hand-over）を行うことで映像の乱れや瞬断なくシームレスに伝送路を切り替えることができる。また、ＩＰ映像の伝送中に伝送路の帯域が低下した場合、複数の伝送路のボンディング（bonding）またはチーミング（teaming）を実施して伝送路の負荷分散を行うことで、ＩＰ映像伝送のための十分な帯域を確保することができる。しかし、ＤＴＣＰ−ＩＰやＨＤＣＰなどの著作権保護処理の中には、仕様上、同一サブネット内でただ一つのセッションを通じてしかＩＰ映像を伝送することができない場合がある。そのため、そのような著作権保護された映像コンテンツの伝送では、同時に複数のセッションでＩＰ映像を伝送することが前提となるソフトハンドオーバーや伝送路の負荷分散を利用することができずに、セッションを一旦切断して別の伝送路でセッションを確立した後に、映像コンテンツを新たなセッションで伝送する必要がある。したがって、伝送路の切り替え時に映像が中断されてしまうという問題がある。
【０００６】
上記問題に鑑み、本発明は、同一サブネット内でただ一つのセッションでしか伝送が許されないような著作権保護された映像コンテンツの伝送においてソフトハンドオーバーや伝送路の負荷分散を利用可能にすることを課題とする。
【課題を解決するための手段】
【０００７】
本発明の一局面に従ったＩＰ映像送信装置は、著作権保護された映像コンテンツをＩＰ映像受信装置へ送信するＩＰ映像送信装置であって、仮想ネットワークインタフェースと、複数のネットワークインタフェースと、前記ＩＰ映像受信装置との間で、前記仮想ネットワークインタフェースに付与されたＩＰアドレスを用いて仮想サブネット内でセッションを確立するとともに前記複数のネットワークインタフェースに付与された各ＩＰアドレスを用いて各物理サブネット内でセッションを確立するセッション管理部と、前記映像コンテンツをＩＰパケット化して、前記仮想サブネット内のセッションを通じて前記ＩＰ映像受信装置へパケットデータを送信するデータ送信部とを備え、前記セッション管理部が、前記物理サブネットの少なくとも一つと前記仮想サブネットとをブリッジ接続するものである。
【０００８】
また、本発明の別局面に従ったＩＰ映像受信装置は、著作権保護された映像コンテンツをＩＰ映像送信装置から受信するＩＰ映像受信装置であって、仮想ネットワークインタフェースと、複数のネットワークインタフェースと、前記ＩＰ映像送信装置との間で、前記仮想ネットワークインタフェースに付与されたＩＰアドレスを用いて仮想サブネット内でセッションを確立するとともに前記複数のネットワークインタフェースに付与された各ＩＰアドレスを用いて各物理サブネット内でセッションを確立するセッション管理部と、前記仮想サブネット内のセッションを通じて前記ＩＰ映像送信装置から前記映像コンテンツのパケットデータを受信して前記映像コンテンツを再構築するデータ受信部とを備え、前記セッション管理部が、前記物理サブネットの少なくとも一つと前記仮想サブネットとをブリッジ接続するものである。
【０００９】
また、本発明のさらに別局面に従ったＩＰ映像送受信システムは、上記のＩＰ映像送信装置およびＩＰ映像受信装置を備えたものである。
【００１０】
これらによると、複数の物理サブネットの少なくとも一つと仮想サブネットとがブリッジ接続され、著作権保護された映像コンテンツが仮想サブネット内のセッションで伝送されることで、仮想サブネット内のセッションを維持したまま、すなわち、映像を中断することなく、実際の伝送路である物理サブネットの切り替えやボンディングを行うことができる。
【００１１】
前記データ送信部が、前記各物理セッションを通じて前記ＩＰ映像受信装置へ前記映像コンテンツの同じパケットデータを送信するものであってもよく、前記ＩＰ映像送信装置における前記セッション管理部が、前記物理サブネットのいずれか一つと前記仮想サブネットとを選択的にブリッジ接続するものであってもよい。また、前記データ受信部が、前記各物理セッションを通じて前記ＩＰ映像送信装置から前記映像コンテンツの同じパケットデータを受信するものであってもよく、前記ＩＰ映像受信装置における前記セッション管理部が、前記物理サブネットのいずれか一つと前記仮想サブネットとを選択的にブリッジ接続するものであってもよい。
【００１２】
これによると、著作権保護された映像コンテンツの伝送においてソフトハンドオーバーが可能となる。
【００１３】
前記ＩＰ映像送信装置における前記セッション管理部が、複数の前記物理サブネットと前記仮想サブネットとをブリッジ接続するものであってもよく、前記データ送信部が、前記仮想サブネットとブリッジ接続された前記複数の物理サブネットの各セッションに前記映像コンテンツのパケットデータを負荷分散して前記ＩＰ映像受信装置へ送信するものであってもよい。また、前記ＩＰ映像受信装置における前記セッション管理部が、複数の前記物理サブネットと前記仮想サブネットとをブリッジ接続するものであってもよく、前記データ受信部が、前記仮想サブネットとブリッジ接続された前記複数の物理サブネットの各セッションに負荷分散された前記映像コンテンツのパケットデータを前記ＩＰ映像送信装置から受信するものであってもよい。
【００１４】
これによると、著作権保護された映像コンテンツの伝送において伝送路の負荷分散が可能となる。
【発明の効果】
【００１５】
以上のように本発明によると、同一サブネット内でただ一つのセッションでしか伝送が許されないような著作権保護された映像コンテンツの伝送においてソフトハンドオーバーや伝送路の負荷分散を利用可能になる。これにより、家庭内のさまざまな場所で安定的に映像コンテンツを視聴することができる。
【図面の簡単な説明】
【００１６】
【図１】本発明の一実施形態に係るＩＰ映像送受信システムの概略図
【図２】本発明の一実施形態に係るＩＰ映像送信装置とＩＰ映像受信装置の通信機能部分の構成を示すブロック図
【図３】ソフトハンドオーバー処理のフローチャート
【図４】ソフトハンドオーバー前のセッションを表す模式図
【図５】ソフトハンドオーバー中のセッションを表す模式図
【図６】ソフトハンドオーバー後のセッションを表す模式図
【図７】伝送路の負荷分散処理のフローチャート
【図８】伝送路の負荷分散後のセッションを表す模式図
【発明を実施するための形態】
【００１７】
以下、図面を参照しながら本発明を実施するための形態について説明する。なお、本発明は、以下の実施形態に限定されるものではない。
【００１８】
図１は、本発明の一実施形態に係るＩＰ映像送受信システムの概略を示す。ＩＰ映像送受信システム１００において、テレビジョン受像機１、ビデオレコーダー２、タブレット端末３、ホームサーバー４などのＡＶ機器が、例えば、ＤＬＮＡ（Digital Living Network Alliance）ガイドラインに従ってホームネットワーク１０１に接続されている。ホームネットワーク１０１は、伝送規格ＩＥＥＥ８０２．１１ｂ／１１ａ／１１ｇ／１１ｎ／１１ａｃなどで定義される２．４ＧＨｚ帯または５．２ＧＨｚ帯の無線ＬＡＮ、ＷｉＦｉ、ＷｉＦｉ  Ｄｉｒｅｃｔ、有線ＬＡＮ、ＰＬＣ（Power Line Communications）などのさまざまな伝送路を含む。各ＡＶ機器は、ホームネットワーク１０１内でＴＣＰ／ＩＰに基づく通信を行うことができる。映像コンテンツは、ＩＰ映像送信装置においてＩＰパケット化されてＩＰ映像としてホームネットワーク１０１内に伝送される。ＩＰ映像受信装置は、映像コンテンツのパケットデータを受信して元の映像コンテンツを再構築して再生する。
【００１９】
各ＡＶ機器は、ＩＰ映像を送信するＩＰ映像送信装置にも、ＩＰ映像を受信するＩＰ映像受信装置にもなり得る。例えば、テレビジョン受像機１は、ホームサーバー４から送信される映像コンテンツを受信するＩＰ映像受信装置として動作するとともに、受信または録画した放送番組をタブレット端末３へ送信するＩＰ映像送信装置としても動作することができる。
【００２０】
映像コンテンツは、ＤＴＣＰ−ＩＰやＨＤＣＰなどの著作権保護処理が施されてホームネットワーク１０１内を伝送される。これら著作権保護処理によると、映像コンテンツが公開鍵暗号化方式で暗号化されてＩＰ映像送信装置からＩＰ映像受信装置へ伝送される。ただし、著作権保護処理の仕様上、著作権保護された映像コンテンツは同一サブネット内でただ一つのセッションを通じてしか伝送することができないという制約がある場合がある。本実施形態に係るＩＰ映像送受信システム１００は、そのような制約の下でもＩＰ映像伝送のソフトハンドオーバーおよび伝送路の負荷分散を利用可能にするものである。
【００２１】
図２は、本発明の一実施形態に係るＩＰ映像送信装置とＩＰ映像受信装置の通信機能部分の構成を示すブロック図である。ＩＰ映像送信装置１０は、仮想ネットワークインタフェース（仮想ＮＩＣ）１１ｖと、２個のネットワークインタフェース（ＮＩＣ）１１ａ、１１ｂと、セッション管理部１２と、データ送信部１３とを備えている。ＩＰ映像受信装置２０は、仮想ネットワークインタフェース（仮想ＮＩＣ）２１ｖと、２個のネットワークインタフェース（ＮＩＣ）２１ａ、２１ｂと、セッション管理部２２と、データ送信部２３とを備えている。
【００２２】
ＮＩＣ１１ａ、１１ｂおよびＮＩＣ２１ａ、２１ｂは、有線ＬＡＮ、無線ＬＡＮ、ＷｉＦｉ、ＷｉＦｉ  Ｄｉｒｅｃｔ、ＰＬＣなどのさまざまなネットワークインタフェースのいずれかである。各ＮＩＣには物理ＩＰアドレスが付与される。ＮＩＣ１１ａ、２１ａには、例えば、“１９２．１６８．０．０／２４”で表される物理サブネット１０１ａ内のＩＰアドレス“１９２．１６８．０．１”および“１９２．１６８．０．２”がそれぞれ付与される。また、ＮＩＣ１１ｂ、２１ｂには、例えば、“１９２．１６８．１０．０／２４”で表される別の物理サブネット１０１ｂ内のＩＰアドレス“１９２．１６８．１０．１”および“１９２．１６８．１０．２”がそれぞれ付与される。
【００２３】
仮想ＮＩＣ１１ｖおよび仮想ＮＩＣ２１ｖは、物理ＮＩＣであるＮＩＣ１１ａ、１１ｂおよび／またはＮＩＣ２１ａ、２１ｂ上にソフトウェアで仮想的に実現されるネットワークインタフェースである。各仮想ＮＩＣには仮想ＩＰアドレスが付与される。仮想ＮＩＣ１１ｖ、２１ｖには、例えば、“１９２．１６８．５４．０／２４”で表される仮想サブネット１０１ｖ内のＩＰアドレス“１９２．１６８．５４．１”および“１９２．１６８．５４．２”がそれぞれ付与される。
【００２４】
なお、仮想サブネット１０１ｖおよび物理サブネット１０１ａ、１０１ｂは、ホームネットワーク１０１を構成する要素である。
【００２５】
セッション管理部１２は、仮想ＮＩＣ１１ｖに付与されたＩＰアドレス“１９２．１６８．５４．１”を用いて、また、セッション管理部２２は、仮想ＮＩＣ２１ｖに付与されたＩＰアドレス“１９２．１６８．５４．２”を用いて、ＩＰ映像送信装置１０とＩＰ映像受信装置２０との間で、仮想サブネット１０１ｖ内でセッションを確立する。
【００２６】
また、セッション管理部１２は、ＮＩＣ１１ａに付与されたＩＰアドレス“１９２．１６８．０．１”を用いて、また、セッション管理部２２は、ＮＩＣ２１ａに付与されたＩＰアドレス“１９２．１６８．０．２”を用いて、ＩＰ映像送信装置１０とＩＰ映像受信装置２０との間で、物理サブネット１０１ａ内でセッションを確立する。
【００２７】
また、セッション管理部１２は、ＮＩＣ１１ｂに付与されたＩＰアドレス“１９２．１６８．１０．１”を用いて、また、セッション管理部２２は、ＮＩＣ２１ｂに付与されたＩＰアドレス“１９２．１６８．１０．２”を用いて、ＩＰ映像送信装置１０とＩＰ映像受信装置２０との間で、物理サブネット１０１ｂ内でセッションを確立する。
【００２８】
さらに、セッション管理部１２、２２は、物理サブネット１０１ａ、１０１ｂの少なくとも一つと仮想サブネット１０１ｖとをブリッジ接続する。例えば、ＩＰ映像伝送のソフトハンドオーバーを行う場合には、セッション管理部１２、２２は、物理サブネット１０１ａ、１０１ｂのいずれか一つと仮想サブネット１０１ｖとを選択的にブリッジ接続する。一方、伝送路の負荷分散を行う場合には、セッション管理部１２、２２は、物理サブネット１０１ａ、１０１ｂの両方と仮想サブネット１０１ｖとをブリッジ接続する。
【００２９】
ＩＰ映像送信装置１０において、映像コンテンツが図示しないエンコーダーによってエンコードされる。データ送信部１３は、そのエンコードされた映像コンテンツをペイロードデータに分割してＩＰパケット化し、仮想サブネット１０１ｖ内のセッションを通じてＩＰ映像受信装置２０へＩＰパケット化された映像コンテンツ、すなわち、ＩＰ映像を送信する。
【００３０】
データ受信部２３は、仮想サブネット１０１ｖ内のセッションを通じてＩＰ映像受信装置１０から映像コンテンツのパケットデータを受信し、パケットデータ中のペイロードデータを取り出してエンコードされた映像コンテンツを再構築する。再構築された映像コンテンツは、ＩＰ映像受信装置２０において、図示しないデコーダーによってデコードされて再生される。データ受信部２３は、受信したパケットデータをバッファリングするバッファメモリ２３１を備えている。
【００３１】
次に、本実施形態に係るＩＰ映像送受信システム１００におけるＩＰ映像伝送のソフトハンドオーバーについて詳細に説明する。図３は、ソフトハンドオーバー処理のフローチャートである。
【００３２】
まず、セッション管理部１２，２２が、仮想サブネット１０１ｖ内でセッションを確立し（Ｓ１０１）、物理サブネット１０１ａ内でセッションを確立する（Ｓ１０２）。そして、セッション管理部１２が仮想ＮＩＣ１１ｖとＮＩＣ１１ａとをブリッジ接続し、セッション管理部２２が仮想ＮＩＣ２１ｖとＮＩＣ２１ａとをブリッジ接続することで、仮想サブネット１０１ｖと物理サブネット１０１ａとがブリッジ接続される（Ｓ１０３）。データ送信部１３およびデータ受信部２３は、仮想サブネット１０１ｖ内のセッションでＩＰ映像を送受信する（Ｓ１０４）。
【００３３】
図４は、ソフトハンドオーバー前のセッションを表す模式図である。実際には図４に示したように、映像コンテンツのパケットデータは、物理サブネット１０１ａ内のセッションを通じて伝送される。
【００３４】
ＩＰ映像送信装置１０からＩＰ映像受信装置２０へ映像コンテンツを伝送中に、セッション管理部１２，２２は、仮想サブネット１０１ｖ内のセッションの通信状況を確認する（Ｓ１０５）。例えば、映像コンテンツがＲＴＣＰ（Real-time Transport Control Protocol）で伝送される場合、セッション管理部２２がセッション管理部１２へ受信状況を表すＲＲ（Receive Report）を通知し、セッション管理部１２がＲＲ内のパラメータを参照することで通信状況を確認することができる。セッション管理部１２が、仮想サブネット１０１ｖ内のセッションの通信状況が悪化していないと判断した場合（Ｓ１０６でＮＯ）、ステップＳ１０５へ戻り、引き続き仮想サブネット１０１ｖ内のセッションの通信状況が監視される。一方、セッション管理部１２が、仮想サブネット１０１ｖ内のセッションの通信状況が悪化していると判断した場合（Ｓ１０６でＹＥＳ）、セッション管理部１２、２２が、物理サブネット１０１ｂ内でセッションを確立する（Ｓ１０７）。
【００３５】
図５は、ソフトハンドオーバー中のセッションを表す模式図である。図５に示したように、データ送信部１３およびデータ受信部２３が、物理サブネット１０１ｂ内のセッションで、仮想サブネット１０１ｖ内のセッションで伝送される映像コンテンツのパケットデータと同一のパケットデータの送受信を開始する（Ｓ１０８）。仮想サブネット１０１ｖと物理サブネット１０１ｂとは互いに別のサブネットであるため、著作権保護された映像コンテンツは同一サブネット内でただ一つのセッションを通じてしか伝送することができないという制約にもかかわらず、仮想サブネット１０１ｖと物理サブネット１０１ｂとで、著作権保護された映像コンテンツを伝送するセッションを同時に２つ維持することができる。
【００３６】
セッション管理部２２は、仮想サブネット１０１ｖ内のセッションで伝送される映像コンテンツおよび物理サブネット１０１ｂ内のセッションで伝送される映像コンテンツの再生時間が一致したか否かを判定する（Ｓ１０９）。再生時間は、例えば、映像コンテンツのパケットデータに付加されたＰＴＳ（Presentation Time Stamp）から知ることができる。そして、セッション管理部２２が、上記２つのセッションで伝送される映像コンテンツの再生時間が一致したと判断したとき（Ｓ１０９でＹＥＳ）、セッション管理部１２が仮想ＮＩＣ１１ｖとＮＩＣ１１ｂとをブリッジ接続するとともに仮想ＮＩＣ１１ｖとＮＩＣ１１ａとのブリッジ接続を解除し、セッション管理部２２が仮想ＮＩＣ２１ｖとＮＩＣ２１ｂとをブリッジ接続するとともに仮想ＮＩＣ２１ｖとＮＩＣ２１ａとのブリッジ接続を解除することで、仮想サブネット１０１ｖと物理サブネット１０１ｂとがブリッジ接続されるとともに物理サブネット１０１ａが仮想サブネット１０１ｖから切断される（Ｓ１１０）。
【００３７】
図６は、ソフトハンドオーバー後のセッションを表す模式図である。ソフトハンドオーバー後は、実際には図６に示したように、映像コンテンツのパケットデータは、物理サブネット１０１ｂ内のセッションを通じて伝送される。
【００３８】
ステップＳ１１０での物理サブネットの切り替えのとき、データ受信部２３は、バッファメモリ２３１から、２つのセッションで一致した再生時間以降のＰＴＳが付与されたパケットデータを破棄する。そして、ステップＳ１１０で物理サブネットが切り替わることにより、当該再生時間以降のＰＴＳが付与されたパケットデータが物理サブネット１０１ｂ内のセッションを通じて再び取得され、バッファメモリ２３１にバッファリングされる。このように、ソフトハンドオーバーの前後で、バッファメモリ２３１へのパケットデータの書き込みが切り替わる。
【００３９】
なお、バッファメモリ２３１の上流側、例えば、セッション管理部２２内に、セッションごとにパケットデータをバッファリングするバッファメモリを設けて、バッファメモリ２３１がセッション管理部２２内の当該各バッファメモリからパケットデータを受け取るようにしてもよい。この場合、ステップＳ１１０での物理サブネットの切り替えのとき、セッション管理部２２が、物理サブネット１０１ａ内のセッションのパケットデータをバッファリングするバッファメモリから、２つのセッションで一致した再生時間以降のＰＴＳが付与されたパケットデータを破棄すればよい。
【００４０】
以上のように本実施形態によると、著作権保護された映像コンテンツを伝送中のセッション（仮想サブネット１０１ｖ内のセッション）を維持したままで伝送路の切り替えを行うことができる。これにより、著作権保護された映像コンテンツの伝送においてソフトハンドオーバーが可能となり、映像コンテンツの映像の乱れや瞬断なくシームレスに伝送路を切り替えることができる。
【００４１】
次に、本実施形態に係るＩＰ映像送受信システム１００におけるＩＰ映像伝送の伝送路の負荷分散について詳細に説明する。図７は、伝送路の負荷分散処理のフローチャートである。なお、ステップＳ１０１からＳ１０７までは図３に示したソフトハンドオーバー処理と同じであるため、説明を省略する。
【００４２】
伝送路の負荷分散の場合、ステップＳ１０７で物理サブネット１０１ｂ内でセッションが確立された後、セッション管理部１２が仮想ＮＩＣ１１ｖとＮＩＣ１１ｂとをブリッジ接続し、セッション管理部２２が仮想ＮＩＣ２１ｖとＮＩＣ２１ｂとをブリッジ接続する。これにより、仮想サブネット１０１ｖと物理サブネット１０１ｂとがブリッジ接続される（Ｓ２０１）。
【００４３】
図８は、伝送路の負荷分散後のセッションを表す模式図である。図８に示したように、データ送信部１３は、映像コンテンツのパケットデータを物理サブネット１０１ａ、１０１ｂ内の各セッションに負荷分散して送信し、データ受信部２３は、各セッションで送信されるパケットデータを受信して元の映像コンテンツを再構築する（Ｓ２０２）。
【００４４】
以上のように本実施形態によると、著作権保護された映像コンテンツを伝送中のセッション（仮想サブネット１０１ｖ内のセッション）を維持したままで伝送路のボンディングまたはチーミングを行うことができる。これにより、著作権保護された映像コンテンツの伝送において伝送路の負荷分散が可能となり、映像コンテンツを伝送する伝送路の帯域が低下した場合において、映像コンテンツの映像の乱れや瞬断なく伝送に必要な帯域を確保することができる。
【００４５】
なお、ＩＰ映像送信装置１０およびＩＰ映像受信装置２０は、３個以上のＮＩＣを備えていてもよい。その場合、例えば、３個以上の伝送路のボンディングまたはチーミングを行うことで、著作権保護された映像コンテンツを伝送するためのより広い帯域を確保することができる。
【００４６】
また、便宜上、ＩＰｖ４のネットワークを例に本発明の実施形態を説明したが、本発明はＩＰｖ６のネットワークにも適用可能である。
【符号の説明】
【００４７】
１０      ＩＰ映像送信装置
１１ｖ    仮想ＮＩＣ（仮想ネットワークインタフェース）
１１ａ    ＮＩＣ（複数のネットワークインタフェース）
１１ｂ    ＮＩＣ（複数のネットワークインタフェース）
１２      セッション管理部
１３      データ送信部
２０      ＩＰ映像受信装置
２１ｖ    仮想ＮＩＣ（仮想ネットワークインタフェース）
２１ａ    ＮＩＣ（複数のネットワークインタフェース）
２１ｂ    ＮＩＣ（複数のネットワークインタフェース）
２２      セッション管理部
２３      データ受信部
１００    ＩＰ映像送受信システム
１０１ｖ  仮想サブネット
１０１ａ  物理サブネット
１０１ｂ  物理サブネット  
【図１】
2015104063.tif 000003
【図２】
2015104063.tif 000004
【図３】
2015104063.tif 000005
【図４】
2015104063.tif 000006
【図５】
2015104063.tif 000007
【図６】
2015104063.tif 000008
【図７】
2015104063.tif 000009
【図８】
2015104063.tif 000010